(57)【要約】【課題】移動部材を固定保持することができるレンズ鏡筒および撮影装置を提供する。【解決手段】レンズホルダ（１５４）をロック位置から離れる方向に移動させるときに、駆動用コイル（１５８，１６６）が発生する磁界を受けて、ロック用磁性体（１８２）の磁気特性が変化し、ロック用磁性体（１８２）とロック用磁石（１８４）との吸着力を弱めるように、駆動用コイル（１５８，１６６）とロック用磁性体（１７８）とロック用磁石（１８４）とが配置されるレンズ鏡筒。【選択図】図１
2013045078.tif 000002
【特許請求の範囲】
【請求項１】
レンズ鏡筒本体と、
前記レンズ鏡筒本体に設けられた駆動用磁石と、
レンズを保持し、前記レンズ鏡筒本体に対して光軸方向に相対移動可能なレンズホルダと、
前記レンズホルダに設けられ、前記駆動用磁石との相互作用により前記レンズホルダを前記光軸方向に移動させる駆動用コイルと、
前記レンズ鏡筒本体に設けられたロック用磁石と、
前記レンズホルダに設けられ、前記駆動用コイルが発生する磁界を受けて磁気特性が変化するロック用磁性体とを有し、
前記レンズホルダをロック位置から離れる方向に移動させるときに、前記駆動用コイルが発生する磁界を受けて、前記ロック用磁性体の磁気特性が変化し、前記ロック用磁性体と前記ロック用磁石との吸着力を弱めるように、前記駆動用コイルと前記ロック用磁性体と前記ロック用磁石とが配置されるレンズ鏡筒。
【請求項２】
前記レンズホルダを前記ロック位置から離れる方向に移動させるときに、前記駆動用コイルが発生した磁界を受けて前記ロック用磁性体が発生する磁界の向きは、前記ロック用磁性体と前記ロック用磁石に働く吸着力を弱める向きである請求項１に記載のレンズ鏡筒。
【請求項３】
前記レンズホルダを前記ロック位置に近づく方向に移動させるときに、前記駆動用コイルが発生した磁界を受けて前記ロック用磁性体が発生する磁界の向きは、前記ロック用磁性体と前記ロック用磁石に働く吸着力を強める向きである請求項１または２に記載のレンズ鏡筒。
【請求項４】
前記駆動用磁石の周囲に配置されて前記駆動用磁石とともに磁気回路を形成するヨークをさらに含む請求項１〜３の何れかに記載のレンズ鏡筒。
【請求項５】
前記ロック用磁性体が、前記磁気回路の内側に設けられる請求項４に記載のレンズ鏡筒。
【請求項６】
前記ロック用磁性体が、前記磁気回路の外側に設けられる請求項４に記載のレンズ鏡筒。
【請求項７】
前記ロック用磁性体が、前記光軸に垂直な方向の前記駆動用コイルを含む平面に設けられる請求項１〜４の何れかに記載のレンズ鏡筒。
【請求項８】
前記レンズホルダを前記光軸方向に移動させるためのガイドバーをさらに含み、
前記ガイドバーを挟むように２つ以上の前記駆動用コイルが配置され、前記駆動用コイルの間に前記ロック用磁性体が配置される請求項１〜４の何れかに記載のレンズ鏡筒。
【請求項９】
前記光軸方向の前記ロック位置に前記レンズホルダが位置しているか否かを検出するレンズホルダ検出センサをさらに有する請求項１〜８の何れかに記載のレンズ鏡筒。
【請求項１０】
前記ロック用磁性体が、軟磁性体である請求項１〜９の何れかに記載のレンズ鏡筒。
【請求項１１】
請求項１〜１０の何れかに記載のレンズ鏡筒を有する撮影装置。
【発明の詳細な説明】
【技術分野】
【０００１】
本発明は、レンズ鏡筒および撮影装置に関する。
【背景技術】
【０００２】
撮像装置の電源オフ状態のときに、撮像装置内の移動部材を固定して保持させることで、移動部材が不用意に移動することを抑制することができる。たとえば、特許文献１の従来技術では、電源オフ状態のときに、レンズ枠を、磁石の吸着力により固定部材に吸着させて、レンズ枠を固定部材に固定している。
【０００３】
しかしながら、従来技術では、レンズ枠が、磁石の吸着力により固定部材に固定された状態から、その磁石の吸着力より強い力を加えてレンズ枠を移動させるので、大きな動力が必要であり、消費電力が大きくなってしまう問題がある。
【０００４】
さらに、従来技術では、消費電力や実装スペース等の理由により、アクチュエータの駆動力を十分に大きくすることができない場合がある。このような場合には、磁石の吸着力も弱くなり、レンズ枠の固定部材に対する十分な吸着力を得ることができなかった。
【先行技術文献】
【特許文献】
【０００５】
【特許文献１】特開２００６−３４５５８９
【発明の概要】
【発明が解決しようとする課題】
【０００６】
本発明の目的は、移動部材を好適に固定保持することができるレンズ鏡筒および撮影装置に関する。
【課題を解決するための手段】
【０００７】
上記の目的を達成するために、本発明のレンズ鏡筒は、
レンズ鏡筒本体と、
前記レンズ鏡筒本体に設けられた駆動用磁石（１６０，１６８）と、
レンズ（１５２）を保持し、前記レンズ鏡筒本体に対して光軸（Ｌ）方向に相対移動可能なレンズホルダ（１５４）と、
前記レンズホルダ（１５４）に設けられ、前記駆動用磁石（１６０，１６８）との相互作用により前記レンズホルダ（１５４）を前記光軸（Ｌ）方向に移動させる駆動用コイル（１５８，１６６）と、
前記レンズ鏡筒本体に設けられたロック用磁石（１８４）と、
前記レンズホルダ（１５４）に設けられ、前記駆動用コイル（１５８，１６６）が発生する磁界を受けて磁気特性が変化するロック用磁性体（１８２）とを有し、
前記レンズホルダ（１５４）をロック位置（Ｒ）から離れる方向に移動させるときに、前記駆動用コイル（１５８，１６６）が発生する磁界を受けて、前記ロック用磁性体（１８２）の磁気特性が変化し、前記ロック用磁性体（１８２）と前記ロック用磁石（１８４）との吸着力を弱めるように、前記駆動用コイル（１５８，１６６）と前記ロック用磁性体（１７８）と前記ロック用磁石（１８４）とが配置される。
【０００８】
なお、上述の説明では、本発明をわかりやすく説明するために、実施形態を示す図面の符号に対応付けて説明したが、本発明は、これに限定されるものでない。後述の実施形態の構成を適宜改良してもよく、また、少なくとも一部を他の構成に代替させてもよい。更に、その配置について特に限定のない構成要件は、実施形態で開示した配置に限らず、その機能を達成できる位置に配置することができる。
【図面の簡単な説明】
【０００９】
【図１】図１は、本発明の一実施形態に係るカメラの一部断面概略図である。
【図２】図２（ａ）は、図１に示すカメラのオートフォーカス部の正面図であり、図２（ｂ）は、図１に示すカメラのオートフォーカス部の拡大断面図である。
【図３】図３は、図２に示すオートフォーカス部の斜視図である。
【図４Ａ】図４Ａは、図２に示すオートフォーカス部におけるレンズホルダの移動範囲を示し、図２（ａ）のIVＡ−IVＡ線に沿う概略断面図である。
【図４Ｂ】図４Ｂは、図２に示すオートフォーカス部におけるレンズホルダの移動範囲におけるフォーカシング動作領域Ｅとロック領域Ｆとの関係を示し、図４Ａと同様な概略断面図である。
【図５Ａ】図５Ａは、図２に示すオートフォーカス部のロック状態の一例を示し、図４Ａと同様な概略断面図である。
【図５Ｂ】図５Ｂは、図２に示すオートフォーカス部の電源オフ状態の一例を示し、図４Ａと同様な概略断面図である。
【図５Ｃ】図５Ｃは、図２に示すオートフォーカス部のロック解除状態の一例を示し、図４Ａと同様な概略断面図である。
【図６Ａ】図６Ａは、本発明の他の実施形態に係るオートフォーカス部のロック状態の一例を示し、図４Ａと同様な概略断面図である。
【図６Ｂ】図６Ｂは、図６Ａに示すオートフォーカス部の電源オフ状態の一例を示し、図４Ａと同様な概略断面図である。
【図６Ｃ】図６Ｃは、図６Ａに示すオートフォーカス部のロック解除状態の一例を示し、図４Ａと同様な概略断面図である。
【図７Ａ】図７Ａは、本発明のさらに他の実施形態に係るオートフォーカス部のロック状態の一例を示し、図４Ａと同様な概略断面図である。
【図７Ｂ】図７Ｂは、図７Ａに示すオートフォーカス部の電源オフ状態の一例を示し、図４Ａと同様な概略断面図である。
【図７Ｃ】図７Ｃは、図７Ａに示すオートフォーカス部のロック解除状態の一例を示し、図４Ａと同様な概略断面図である。
【図８Ａ】図８Ａは、本発明のさらに他の実施形態に係るオートフォーカス部のロック状態の一例を示し、図４Ａと同様な概略断面図である。
【図８Ｂ】図８Ｂは、図８Ａに示すオートフォーカス部の電源オフ状態の一例を示し、図４Ａと同様な概略断面図である。
【図８Ｃ】図８Ｃは、図８Ａに示すオートフォーカス部のロック解除状態の一例を示し、図４Ａと同様な概略断面図である。
【図９】図９は、図１に示すカメラの他の実施形態に係るオートフォーカス部の正面図である。
【図１０Ａ】図１０Ａは、図９に示すオートフォーカス部のロック状態の一例を示し、図４Ａと同様な概略断面図である。
【図１０Ｂ】図１０Ｂは、図９に示すオートフォーカス部の電源オフ状態の一例を示し、図４Ａと同様な概略断面図である。
【図１０Ｃ】図１０Ｃは、図９に示すオートフォーカス部のロック解除状態の一例を示し、図４Ａと同様な概略断面図である。
【発明を実施するための形態】
【００１０】
第１実施形態
図１に示す本発明の一実施形態に係る撮影装置としてのカメラ３００は、レンズ鏡筒１００とカメラ本体２００とを有する。なお、以下の実施形態では、レンズ鏡筒１００がカメラ本体２００に着脱自在に取り付けられるレンズ交換式の一眼レフカメラを例に説明するが、本実施形態はこれに限定されない。例えば、レンズ鏡筒とカメラ本体とが一体であるコンパクトカメラやカメラ付きモバイル機器であっても良い。
【００１１】
レンズ鏡筒１００には、光軸Ｌに沿って被写体側から、第１レンズ部１０２、第２レンズ部１０４、第３レンズ部１０６、フォーカスレンズ部１５０、第４レンズ部１０８の順に配置されており、被写体側からの光をカメラ本体２００の撮像部（不図示）に導く。第１レンズ部１０２、第２レンズ部１０４、第３レンズ部１０６、フォーカスレンズ部１５０、第４レンズ部１０８は、光軸Ｌに対して平行方向または垂直方向に移動し、ズーム調整、フォーカス調整、ブレ補正等を行う。
【００１２】
以下の説明では、光軸Ｌと平行な軸をＺ軸とし、このＺ軸に垂直な平面をＸ軸とＹ軸を含む面とする。Ｘ軸とＹ軸とは、相互に垂直である。
【００１３】
図２（ａ）および図２（ｂ）に示すように、フォーカスレンズ部１５０は、レンズホルダ１５４に保持されたフォーカスレンズ群１５２を有する。フォーカスレンズ群１５２は、Ｘ−Ｙ平面上で、レンズホルダ１５４の略中心に配置される。
【００１４】
レンズホルダ１５４には、周方向に沿って時計回りに、第１ＶＣＭ１５６、第１ガイド部１７２、第２ＶＣＭ１６４、第２ガイド部１７４の順に配置されている。第１ＶＣＭ１５６と第１ガイド部１７２と第２ＶＣＭ１６４と第２ガイド部１７４とは、周方向にほぼ等しい角度で配置される。
【００１５】
第１ＶＣＭ１５６および第２ＶＣＭ１６４は、フォーカスレンズ群１５２の略中心を含むＹ軸方向の両側に配置される。フォーカスレンズ群１５２の略中心から第１ＶＣＭ１５６までの距離と、フォーカスレンズ群１５２の略中心から第２ＶＣＭ１６４までの距離とは同程度である。
【００１６】
第１ＶＣＭ１５６および第２ＶＣＭ１６４は、電磁アクチュエータであり、図２（ｂ）に示すように、レンズホルダ１５４は、第１ＶＣＭ１５６および第２ＶＣＭ１６４により、光軸Ｌに沿って相対移動可能である。
【００１７】
第１ガイド部１７２および第２ガイド部１７４は、フォーカスレンズ群１５２の略中心を含むＸ軸方向の両側に配置される。フォーカスレンズ群１５２の略中心から第１ガイド部１７２までの距離と、フォーカスレンズ群１５２の略中心から第２ガイド部１７４までの距離とは同程度である。
【００１８】
図３に示すように、第１ガイド部１７２は、Ｚ軸方向に伸びる第１ガイドバー１７６に摺動可能に保持され、第２ガイド部１７４は、光軸Ｌ方向に伸びる第２ガイドバー１７８に摺動可能に保持される。
【００１９】
第１ガイド部１７２は、軸受け部を持ち、軸受け部に第１ガイドバー１７６を挿入させることで、光軸Ｌ方向に平行な第１ガイドバー１７６に沿って、第１ガイド部１７２をスムーズに摺動させるようになっている。
【００２０】
第２ガイド部１７４は、図２（ａ）に示すように、Ｘ軸方向に細長に形成された長穴を有する。第２ガイドバー１７８は、光軸Ｌ方向に沿ってスムーズに摺動し且つＸ軸方向に遊びを持つように第２ガイド部１７４の長穴に嵌合される。
【００２１】
第２ガイドバー１７８を、Ｘ軸方向に遊びを持たせて、第２ガイド部１７４に嵌合させているので、レンズホルダ１５４を光軸Ｌに沿ってスムーズに移動させることができる。また、レンズホルダ１５４が光軸Ｌ方向に沿って移動する間、第２ガイド部１７４は、レンズホルダ１５４が光軸Lに対して回転することを防止することができる。
【００２２】
図３に示すように、レンズホルダ１５４には、第１ガイド部１７２と第１ＶＣＭ１５６との間に位置で、半径方向の外方に突出する突起１８０が形成されている。突起１８０は、レンズホルダ１５４と共に光軸Ｌ方向に移動し、レンズホルダ１５４が後述するロック位置Ｒにあるときに、レンズホルダ１５４の突起１８０を検出センサ１８２が検出するようになっている。すなわち、検出センサ１８２は、レンズホルダ１５４がロック位置Ｒにあることを検出する。
【００２３】
検出センサ１８２は、たとえば、フォトインタラプタやタッチセンサ等で構成される。検出センサ１８２は、レンズホルダ１５４の位置座標を検出する測距センサ等であっても良い。
【００２４】
図２（ａ）および図２（ｂ）に示すように、第１ＶＣＭ１５６は、第１駆動用コイル１５８、第１駆動用磁石１６０、第１ヨーク１６２を有する。第１ヨーク１６２は、図２（ｂ）に示す断面においてＵ字形状であり、Ｘ−Ｚ平面に平行な外側ヨーク部１６２Ａおよび内側ヨーク部１６２Ｂを有する。これらの外側ヨーク部１６２Ａと内側ヨーク部１６２Ｂとは、光軸Ｌ方向の一方の端部において、結合部１６２Ｃで一体的に結合してある。これらの外側ヨーク部１６２Ａおよび内側ヨーク部１６２Ｂの他方の端部は、レンズ鏡筒１００の固定部１１０に取り付けられる。
【００２５】
第１駆動用磁石１６０は、第１ヨーク１６２に覆われるようにして配置されて、第１ヨーク１６２の外側ヨーク部１６２Ａの内側に、ネジ止め、接着あるいはその他の方法で固定される。第１駆動用磁石１６０は、Ｙ軸に沿って着磁されており、第１ヨーク１６２とともにＹ軸に沿って磁界を発生する磁気回路を構成する。
【００２６】
第１駆動用コイル１５８は、レンズホルダ１５４に取り付けられており、第１駆動用磁石１６０と第１ヨーク１６２との間に発生する磁界と垂直な方向に電流が流れるように配置されている。すなわち、第１駆動用磁石１６０と第１ヨーク１６２とで構成される磁気回路が、第１ヨーク１６２内に配置された第１駆動用コイル１５８に対してＹ軸方向に磁界を発生させるので、第１駆動用コイル１５８は、Ｙ軸に垂直なＸ軸に沿って電流が流れるように配置される。
【００２７】
第１駆動用コイル１５８に電流を流すことにより第１駆動用コイル１５８に生じるローレンツ力を受けて、レンズホルダ１５４が駆動され、フォーカスレンズ群１５２が光軸Ｌ（Ｚ軸）に沿って移動する。
【００２８】
第２ＶＣＭ１６４は、第２駆動用コイル１６６、第２駆動用磁石１６８、第２ヨーク１７０を有する。第２ＶＣＭ１６４は、上述の第１ＶＣＭ１５６の構成と同様なので、その説明を省略する。
【００２９】
次に、図４Ａおよび図４Ｂを用いて、フォーカスレンズ部１５０のフォーカシング動作の一例を説明する。
【００３０】
ロック用磁性体１８４は、第１駆動用磁石１６０と第１ヨーク１６２とで構成される磁気回路の内側且つ第１駆動用コイル１５８の内周側に配置され、レンズホルダ１５４に取り付けられる。ロック用磁性体１８４は、レンズホルダ１５４の第１駆動コイル１５８に対して、ロック用磁石１８６側に向けて突き出て配置されることが好ましい。ロック用磁性体１８４の形状は、棒状、板状、円柱状、またはその他の形状であってもよい。
【００３１】
レンズホルダ１５４の光軸Ｌ方向のロック位置Ｒでは、レンズ鏡筒１００の固定部１１０に取り付けられているロック用磁石１８６の表面１８６Ｎが、ロック用磁性体１８４の先端に磁力により吸着可能になっている。ロック用磁石１８６の表面１８６Ｎは、たとえばＮ極に着磁され、ロック用磁性体１８６の裏面１８６Ｓ（固定部１１０との固定面）は、たとえばＳ極に着磁してあり、光軸Ｌに平行な方向に着磁されている。
【００３２】
図４Ａに示すように、レンズホルダ１５４は、光軸Ｌに沿って、可動領域Ｄで移動可能である。本実施形態では、可動領域Ｄは、外側ヨーク部１６２Ａおよび内側ヨーク部１６２ＢのＺ軸方向の長さから、レンズホルダ１５４とロック用磁性体１８４とロック用磁石１８６とに基づく長さＧを引き算した長さに基づき決定される。
【００３３】
可動領域Ｄは、図４Ｂに示すように、フォーカシング動作領域Ｅとロック領域Ｆとからなる。レンズホルダ１５４は、フォーカシング動作領域Ｅで、フォーカシング動作を行い、ロック領域Ｆでは、フォーカシング動作を行わない。
【００３４】
ロック領域Ｆでは、ロック用磁石１８６が発生する磁界の影響を受けるので、フォーカシング動作の十分な精度が得られないと考えられる。ロック用磁石１８６が発生する磁界の影響が小さい範囲Ｅにおいてフォーカシング動作を行う。
【００３５】
次に、図５Ａを用いて、レンズホルダ１５４の固定部１１０へのロック動作を説明する。レンズホルダ１５４を、光軸Ｌに沿ってロック用磁石１８６に近づけるように、図５Ａに示すように、第１駆動用コイル１５８に電流を流す。
【００３６】
このとき、レンズホルダ１５４を、光軸Ｌに沿ってロック用磁石１８６に近づけるように、ローレンツ力が発生する。また、このとき、ロック用磁性体１８４は、第１駆動用コイル１５８に電流が流れることにより発生する磁界の影響を受けて、ロック用磁石１８６との吸着力を強めるように、磁気特性が変化する。
【００３７】
すなわち、レンズホルダ１５４をロック位置Ｒに近づく方向に移動させるときに、第１駆動用コイル１５８が発生する磁界の向きと、駆動用コイル１５８が発生した磁界を受けてロック用磁性体１８４が発生する磁界の向きとが同じ向きになる。このとき、ロック用磁性体１８４が発生する磁界の向きと、ロック用磁石１８６が発生する磁界の向きとが同じになる。したがって、ロック用磁性体１８４とロック用磁石１８６とが互いに引き合うので、小さい駆動力でレンズホルダ１５４をロック位置Ｒで吸着させることができる。
【００３８】
レンズホルダ１５４が固定部１１０に吸着されたときに、図３に示す検出センサ１８２は、レンズホルダ１５４がロック位置Ｒにあることを検出する。
【００３９】
ロック用磁性体１８４とロック用磁石１８６とが一旦吸着すると、図５Ｂに示すように、第１駆動用コイル１５８への電流供給が止まっても、ロック用磁石１８６の磁力によるロック用磁性体１８４への磁気的吸着により、レンズホルダ１５４の固定部１１０への吸着が保持される。したがって、カメラ３００の電源がＯＦＦ状態になっても、レンズホルダ１５４の固定部１１０への吸着を維持することができる。
【００４０】
次に、図５Ｃを用いて、レンズホルダ１５４の固定部１１０からのロック解除動作を説明する。オートフォーカス可能状態にするために、レンズホルダ１５４を、光軸Ｌに沿ってロック用磁石１８６から遠ざけるために、図５Ｃに示すように、第１駆動用コイル１５８に電流を流す。つまり、第１駆動用コイル１５８に電流を流すことで、第１駆動用磁石１６０と第１ヨーク１６２との間に発生する磁界の中で、第１駆動用コイル１５８にローレンツ力を発生させ、レンズホルダ１５４を光軸Ｌに沿ってロック用磁石１８６から遠ざける方向に移動させる。
【００４１】
このとき、ロック用磁性体１８４は、第１駆動用コイル１５８に電流が流れることにより発生する磁界の影響を受けて、ロック用磁石１８６との吸着力を弱めるように磁気特性が変化する。
【００４２】
すなわち、レンズホルダ１５４をロック位置Ｒから解除するときには、第１駆動用コイル１５８が発生する磁界の向きと、駆動用コイル１５８が発生した磁界を受けてロック用磁性体１８４が発生する磁界の向きとが同じ向きになる。
【００４３】
このとき、ロック用磁性体１８４が発生する磁界の向きと、ロック用磁石１８６が発生する磁界の向きとが逆になる。したがって、ロック用磁性体１８４とロック用磁石１８６とが互いに反発し合うので、小さい駆動力でレンズホルダ１５４をロック位置Ｒから解除することができる。
【００４４】
上述したように、本実施形態では、ロック領域Ｆにおいて、レンズホルダ１５４を、ロック位置Ｒに近づける方向に移動させるときには、ロック用磁性体１８４の磁気特性が、ロック用磁石１８６との吸着力を強めるように変化する。
【００４５】
また、レンズホルダ１５４を、ロック位置Ｒから解除するときには、ロック用磁性体１８４の磁気特性が、ロック用磁石１８６との吸着力を弱めるように変化する。さらに、電源オフ時には、ロック用磁石１８６の磁力によりロック用磁性体が吸着されて、レンズホルダ１５４がロック位置Ｒでレンズ鏡筒に対して固定される。
【００４６】
したがって、本実施形態では、いずれの場合でも、消費エネルギーを小さくすることが可能になり、低消費電力を実現できる。
【００４７】
また、本実施形態によれば、大型のレンズおよびレンズ枠を使用するレンズ鏡筒またはカメラにおいても、レンズ枠をレンズ鏡筒またはカメラ内に確実に固定して保持することができる。
【００４８】
また、本実施形態では、ロック用磁性体１８４が、第１駆動用磁石１６０と第１ヨーク１６２とで構成される磁気回路の内側に配置されている。このため、第１駆動用磁石１６０と第１駆動用コイル１５８との相互作用によりレンズホルダ１５４に発生するローレンツ力の作用軸と、ロック用磁性体１８４およびロック用磁石１８６による吸着力の作用軸とを近づけることができる。したがって、ロック解除動作時またはロック動作時において、レンズホルダ１５４に作用する力の作用点の違いに基づく回転モーメントを抑制することができ、レンズホルダの変形を抑制することができる。
【００４９】
さらに本実施形態では、ロック用磁性体１８４が、第１駆動用コイル１５８の内周側に配置されている。しかも本実施形態では、ロック用磁性体１８４が、光軸に垂直な方向の駆動用コイル１５８を含む平面に設けられている。このため、ロック用磁性体１８４が、第１駆動用コイル１５８からの磁界を効率良く受けることができるので、ロック用磁性体１８４の磁気特性が大きく変化する。したがって、ロック解除動作時において、ロック用磁性体１８４とロック用磁石１８６との吸着力が弱まり、ロック動作時において、ロック用磁性体１８４とロック用磁石１８６との吸着力が強まる機能が向上する。
【００５０】
また、本実施形態では、検出センサ１８２が、レンズホルダ１５４がロック位置Ｒにあることを検出するので、レンズホルダ１５４がロック位置Ｒに確実にロックされていることを確認することができる。さらに、レンズホルダ１５４がロック位置Ｒにあるときの座標を原点として、検出センサ１８２にてレンズホルダ１５４を検出した際に原点補正を行うので、レンズホルダ１５４の移動制御を高精度に行うことができる。
【００５１】
本実施形態では、ロック用磁性体１８４の材質は、特に限定されず、強磁性体、軟磁性体、その他の磁性体であっても良いが、軟磁性体で構成することで、次に示す利点を有する。すなわち、ロック用磁石１８６に吸着しているロック用磁性体１８４は、第１駆動用コイル１５８からの磁界を受けて応答性良く磁気特性が変化し、ロック用磁性体１８４とロック用磁石１８６とを、応答性良く反発させることができる。しかも、軟磁性体は、強磁性体と比較して保磁力が小さいので、ロック用磁石１８６および第１駆動用磁石１６０等から受ける磁場が、ロック用磁性体１８４に残留し難い。そのため、ロック用磁性体１８４が第１ＶＣＭ１５６の磁場回路を乱すおそれが少ない。
【００５２】
さらに本実施形態では、オートフォーカス用の駆動用コイル１５８を利用して、ロック用磁性体１８４とロック用磁石１８６とから成るロック機構のロック開始と解除を制御しており、シンプルな構造であり、部品点数の削減を図れる。ただし、本実施形態では、オートフォーカス用の駆動用コイル１５８以外に、ロック専用のコイルを具備させても良い。
【００５３】
なお、上述した実施形態において、ロック用磁性体１８４は永久磁石であっても良い。この場合、永久磁石で構成されたロック用磁性体１８４は、ロック用磁石１８６に吸着するようにして配置される。ロック用磁性体１８４を永久磁石で構成することで、レンズホルダ１５４のロック位置Ｒへの係止力を強めることができる。
第２実施形態
【００５４】
本発明の第２実施形態に係るカメラは、図６Ａ〜図６Ｃに示す構成以外は、第１実施形態と同様な構成であり、重複する説明は一部省略する。
【００５５】
前述した第１実施形態では、図５Ａ〜図５Ｃに示すように、ロック用磁性体１８４が、第１駆動用磁石１６０と第１ヨーク１６２とで構成される磁気回路の内側且つ第１駆動用コイル１５８の内周側に配置され、レンズホルダ１５４に取り付けられている。
【００５６】
これに対して、第２実施形態では、図６Ａ〜図６Ｃに示すに示すように、ロック用磁性体１８４が、第１駆動用磁石１６０と第１ヨーク１６２とで構成される磁気回路の外側で、且つ第１駆動用コイル１５８の外周側に配置され、レンズホルダ１５４に取り付けられる。
【００５７】
レンズホルダ１５４のロック位置Ｒでは、レンズ鏡筒１００の固定部１１０に取り付けられているロック用磁石１８６の表面１８６Ｓが、ロック用磁性体１８４の先端に磁力により吸着可能になっている。
【００５８】
本実施形態では、ロック用磁石１８６の表面１８６Ｓは、たとえばＳ極に着磁され、ロック用磁性体１８６の裏面１８６Ｎ（固定部１１０との固定面）は、たとえばＮ極に着磁してあり、光軸Ｌに平行な方向に着磁されている。本実施形態のロック用磁石１８６の着磁方向が、第１実施形態のロック用磁石１８６の着磁方向と逆なのは、本実施形態では、駆動用コイル１５８の外側にロック用磁性体１８４が配置してあり、磁性体１８４に対するコイル１５８の影響が異なるからである。
【００５９】
本実施形態では、第１駆動用磁石１６０と第１ヨーク１６２とで構成される磁気回路の外側に、ロック用磁性体１８４およびロック用磁石１８６を配置させている。このため、ロック用磁性体１８４およびロック用磁石１８６が発生する磁場が、第１駆動用磁石１６０と第１ヨーク１６２とで形成される磁気回路の磁界に影響することを抑制することができ、レンズホルダ１５４を高精度に移動させることができる。
【００６０】
さらに、本実施形態では、空気より高い透磁率をもつロック用磁性体１８４を、第１駆動用磁石１６０と第１ヨーク１６２とで形成される磁気回路の外側に配置させているので、磁気回路の磁場が、ロック用磁性体１８４の周囲で歪んでしまうことを防止することができる。したがって、レンズホルダ１５４を高精度に移動させることができる。
【００６１】
なお、図６Ａ〜図６Ｃにおいて２点鎖線で示すように、ロック用磁性体１８４は、第１駆動用磁石１６０と第１ヨーク１６２とで構成される磁気回路の外側で、且つ第１駆動用コイル１５８の内周側に配置され、レンズホルダ１５４に取り付けられても良い。
【００６２】
この場合は、上記の第１実施形態の場合と同様に、図６Ａ〜図６Ｃにおいて２点鎖線で示すように、ロック用磁石１８６の表面１８６Ｎは、たとえばＮ極に着磁させ、ロック用磁性体１８６の裏面１８６Ｓ（固定部１１０との固定面）は、たとえばＳ極に着磁させ、光軸Ｌに平行な方向に着磁させる。
【００６３】
本実施形態では、上述した第２実施形態に比較して、ロック用磁性体１８４を、第１駆動用コイル１５８の内周側に配置させることで、ロック用磁性体１８４が、第１駆動用コイル１５８からの磁界をさらに効率良く受けることができる。
第３実施形態
【００６４】
本発明の第３実施形態に係るカメラは、図７Ａ〜図７Ｃに示す構成以外は、第１実施形態と同様な構成であり、重複する説明は一部省略する。
【００６５】
前述した第１実施形態では、図５Ａ〜図５Ｃに示すように、ロック用磁性体１８４が、第１駆動用磁石１６０と第１ヨーク１６２とで構成される磁気回路の内側且つ第１駆動用コイル１５８の内周側に配置され、レンズホルダ１５４に取り付けられる。
【００６６】
これに対して、本実施形態では、図７Ａ〜図７Ｃに示すように、ロック用磁性体１８４が、第１駆動用磁石１６０と第１ヨーク１６２とで構成される磁気回路の内側で且つ第１駆動用コイル１５８のＺ軸方向の外側にレンズホルダ１５４を挟んで配置され、レンズホルダ１５４に取り付けられる。
【００６７】
また、前述した第１実施形態では、図５Ａ〜図５Ｃに示すように、レンズホルダ１５４の光軸Ｌ方向のロック位置Ｒで、レンズ鏡筒１００の固定部１１０に取り付けられているロック用磁石１８６の表面１８６Ｎが、ロック用磁性体１８４の先端に磁力により吸着可能になっており、ロック用磁石１８６は、光軸Ｌに平行な方向に着磁されている。
【００６８】
これに対して、本実施形態では、レンズホルダ１５４の光軸Ｌ方向のロック位置Ｒで、レンズ鏡筒１００の固定部１１０に取り付けられているロック用磁石１８６の上面１８６Ｎおよび下面１８６Ｓが、ロック用磁性体１８４の先端に磁力により吸着可能になっている。ロック用磁石１８６の上面１８６Ｎは、たとえばＮ極に着磁され、ロック用磁性体１８６の下面１８６Ｓは、たとえばＳ極に着持してあり、光軸Ｌに垂直なＹ軸方向に着磁されている。
【００６９】
本実施形態では、ロック用磁性体１８４が、第１駆動用コイル１５８のＺ軸方向にレンズホルダ１５４を挟んで配置され、レンズホルダ１５４に取り付けられる。したがって、レンズ鏡筒１００の外径を、ロック用磁性体１８４のＹ軸方向の厚み分小さくすることができるので、コンパクトなレンズ鏡筒１００を実現できる。
第４実施形態
【００７０】
本発明の第４実施形態に係るカメラは、図８Ａ〜図８Ｃに示す構成以外は、第３実施形態と同様な構成であり、重複する説明は一部省略する。
【００７１】
前述した第３実施形態では、図７Ａ〜図７Ｃに示すように、ロック用磁性体１８４が、第１駆動用磁石１６０と第１ヨーク１６２とで構成される磁気回路の内側且つ第１駆動用コイル１５８のＺ軸方向外側にレンズホルダ１５４を挟んで配置され、レンズホルダ１５４に取り付けられる。
【００７２】
これに対して、本実施形態では、図８Ａ〜図８Ｃに示すように、ロック用磁性体１８４が、第１駆動用磁石１６０と第１ヨーク１６２とで構成される磁気回路の外側で且つ第１駆動用コイル１５８のＺ軸方向外側にレンズホルダ１５４を挟んで配置され、レンズホルダ１５４に取り付けられる。
【００７３】
本実施形態では、第１駆動用磁石１６０と第１ヨーク１６２とで構成される磁気回路の外側に、ロック用磁性体１８４およびロック用磁石１８６を配置させている。このため、ロック用磁性体１８４およびロック用磁石１８６が発生する磁場が、第１駆動用磁石１６０と第１ヨーク１６２とで形成される磁気回路の磁界に影響することを抑制することができ、レンズホルダ１５４を高精度に移動させることができる。
【００７４】
本実施形態では、空気より高い透磁率をもつロック用磁性体１８４を、第１駆動用磁石１６０と第１ヨーク１６２とで形成される磁気回路の外側に配置させているので、磁気回路の磁場が、ロック用磁性体１８４の周囲で歪んでしまうことを防止することができる。したがって、レンズホルダ１５４を高精度に移動させることができる。
【００７５】
本実施形態では、ロック用磁性体１８４が、第１駆動用コイル１５８のＺ軸方向にレンズホルダ１５４を挟んで配置され、レンズホルダ１５４に取り付けられる。したがって、レンズ鏡筒１００の外径を、ロック用磁性体１８４のＹ軸方向の厚み分小さくすることができるので、コンパクトなレンズ鏡筒１００を実現できる。
第５実施形態
【００７６】
本発明の第５実施形態に係るカメラは、図９および図１０Ａ〜図１０Ｃに示す構成以外は、第１実施形態と同様な構成であり、重複する説明は一部省略する。
【００７７】
前述した第１実施形態では、図２（ａ）示すように、第１ＶＣＭ１５６と第１ガイド部１７２と第２ＶＣＭ１６４と第２ガイド部１７４とが、周方向にほぼ等しい角度で配置される。
【００７８】
これに対して、本実施形態では、第１ＶＣＭ１５６と第２ＶＣＭ１６４とを、第１ガイド部１７２に近づけて、第１ガイド部１７２を挟むようにして配置させている。すなわち、第１ガイド部１７２を保持する第１ガイドバー１７６に近づけて、第１ガイドバー１７６を挟むように、第１ＶＣＭ１５６の第１駆動用コイル１５８および第２ＶＣＭ１６４の第２駆動用コイル１６６を配置させている。
【００７９】
また、前述した第１実施形態では、図４（ａ）に示すように、ロック用磁性体１８４が、第１駆動用磁石１６０と第１ヨーク１６２とで構成される磁気回路の内側且つ第１駆動用コイル１５８の内周側に配置され、レンズホルダ１５４に取り付けられる。
【００８０】
これに対して、本実施形態では、図９に示すように、ロック用磁性体１８４が、第１駆動用コイル１５８と第２駆動用コイル１６６との間であり且つ第１ガイド部１７２のＹ軸方向の外周側に配置され、レンズホルダ１５４に取り付けられる。なお、ロック用磁性体１８４は、第１駆動用コイル１５８と第２駆動用コイル１６６との間であり且つ第１ガイド部１７２のＹ軸方向の内周側に配置され、レンズホルダ１５４に取り付けられても良い。
【００８１】
本実施形態では、第１ガイドバー１７６を挟むようにして第１駆動用コイル１５８と第２駆動用コイル１６６とを配置させているので、第１ガイドバー１７６の近くに第１駆動用コイル１５８と第２駆動用コイル１６６とを配置することができる。レンズホルダ１５４を直進案内する第１ガイドバー１７６の近くに第１駆動用コイル１５８と第２駆動用コイル１６６とを配置させることで、レンズホルダ１５４に、第１駆動用コイル１５８と第１駆動用磁石１６０との相互作用により発生する推進力および第２駆動用コイル１６６と第２駆動用磁石１６８との相互作用により発生する推進力を、第１ガイドバー１７６に沿って効率的に付与することができる。
【００８２】
しかも、第１ガイドバー１７６を挟むように第１駆動用コイル１５８と第２駆動用コイル１６６とを均等位置に配置させることで、レンズホルダ１５４に、第１ガイドバー１７６の両側から均等に推進力を付与することができる。したがって、第１ガイドバー１７６に沿ってレンズホルダ１５４をスムーズに移動させることができる。また、レンズホルダ１５４の第１ガイドバー１７６に対する摺動性が良くなり、レンズホルダ１５４を移動させるときのエネルギーを小さくすることができ、低消費電力を実現できる。
【００８３】
さらに、図１０Ａ〜図１０Ｃに示すように、ロック用磁性体１８４を、第１駆動用コイル１５８と第２駆動用コイル１６６との間に配置させるので、第１駆動用コイル１５８と第２駆動用コイル１６６との双方が発生する磁界をロック用磁性体１８４に作用させることができる。したがって、レンズホルダ１５４をロック位置Ｒでロックさせる際にロック用磁性体１８４とロック用磁石１８６との吸着力を強める効果を増大させ、レンズホルダ１５４をロック位置Ｒからロック解除する際にロック用磁性体１８４とロック用磁石１８６との吸着力を弱める効果を増大させることができる。このため、消費電力の低減、あるいはレンズホルダ１５４の係止力を強めることが可能となる。
【００８４】
なお、本発明は、上記の実施形態に限定されない。
たとえば上記の実施形態では、フォーカスレンズ部のレンズホルダをレンズ鏡筒に固定保持する手段を説明したが、上記の実施形態は、これに限定されず、光軸方向に沿って移動する可動部材に適用することができる。たとえば、カメラのズーミング動作を行うズームレンズ部に適用することができる。
【００８５】
また、上記の実施形態では、１つのロック用磁石と１つのロック用磁性体とからなる１組のロック機構で、ロック動作およびロック解除動作が行われたがこれに限定されない。レンズホルダのロック位置Ｒへの係止力を強めるために、複数のロック用磁石および／または複数のロック用磁性体を有する構成であっても良い。
【符号の説明】
【００８６】
１００  ・・・  レンズ鏡筒
１１０  ・・・  固定部
１５０  ・・・  フォーカスレンズ部
１５２  ・・・  フォーカスレンズ群
１５４  ・・・  レンズホルダ
１５６  ・・・  第１ＶＣＭ
１５８  ・・・  第１駆動用コイル
１６０  ・・・  第１駆動用磁石
１６２  ・・・  第１ヨーク
１６４  ・・・  第２ＶＣＭ
１６６  ・・・  第２駆動用コイル
１６８  ・・・  第２駆動用磁石
１７０  ・・・  第２ヨーク
１７２  ・・・  孔
１７４  ・・・  ガイド機構
１７６  ・・・  ガイドバー
１７８  ・・・  ガイドバー
１８０  ・・・  突起
１８２  ・・・  検出センサ
１８４  ・・・  ロック用磁性体
１８６  ・・・  ロック用磁石
２００  ・・・  カメラ本体
３００  ・・・  カメラ
【図１】
2013045078.tif 000003
【図２】
2013045078.tif 000004
【図３】
2013045078.tif 000005
【図４Ａ】
2013045078.tif 000006
【図４Ｂ】
2013045078.tif 000007
【図５Ａ】
2013045078.tif 000008
【図５Ｂ】
2013045078.tif 000009
【図５Ｃ】
2013045078.tif 000010
【図６Ａ】
2013045078.tif 000011
【図６Ｂ】
2013045078.tif 000012
【図６Ｃ】
2013045078.tif 000013
【図７Ａ】
2013045078.tif 000014
【図７Ｂ】
2013045078.tif 000015
【図７Ｃ】
2013045078.tif 000016
【図８Ａ】
2013045078.tif 000017
【図８Ｂ】
2013045078.tif 000018
【図８Ｃ】
2013045078.tif 000019
【図９】
2013045078.tif 000020
【図１０Ａ】
2013045078.tif 000021
【図１０Ｂ】
2013045078.tif 000022
【図１０Ｃ】
2013045078.tif 000023